【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
粒子計数測定データを生成する１つ以上のセンサーと、
記憶システムと、
該記憶システムに結合された処理システムとを具え、該処理システムは、前記１つ以上のセンサーからの粒子計数測定データを、前記記憶システム内に蓄積して１つ以上のログファイルとし、機器の識別子又は機器の位置情報を前記１つ以上のログファイルに追加し、前記１つ以上のログファイルを、他の非粒子計数システム情報処理デバイスのアプリケーションと互換性のある、安全なファイル形式に変換するよう構成された、粒子計数器であって、
前記処理システムは、機器と通信するよう持ち込まれた外部メモリーデバイスを検出し、開始のメッセージ又は信号を前記外部メモリーデバイスに送り、前記１つ以上のログファイルの一つを、前記安全なファイル形式で検出された外部メモリーデバイスに自動的に転送するよう構成されている、粒子計数器。
【請求項２】
前記安全なファイル形式の前記１つ以上のログファイルは、時系列順に並んだ一連のログファイルを含む、請求項１に記載の粒子計数器。
【請求項３】
前記安全なファイル形式は、ＰＤＦ形式であり、前記処理システムはさらに、外部メモリーデバイスを検証し、前記安全なファイル形式の前記１つ以上のログファイルの一つを自動的に選択して、選択されたログファイルを転送するように構成されている、請求項１に記載の粒子計数器。
【請求項４】
前記処理システムは、前記１つ以上のログファイルを、前記粒子計数器に常駐している間に前記安全なファイル形式に変換するよう構成される、請求項１に記載の粒子計数器。
【請求項５】
前記処理システムは、前記外部メモリーデバイスを検出するのに応じて、前記１つ以上のログファイルを、前記安全なファイル形式に変換するよう構成される、請求項１に記載の粒子計数器。
【請求項６】
前記処理システムは、前記１つ以上のログファイルを外部メモリーデバイスに転送するのに応じて、前記１つ以上のログファイルのうちの１つ以上を消去するよう構成される、請求項１に記載の粒子計数器。
【請求項７】
前記処理システムは、前記１つ以上のログファイルを、周期的に外部メモリーデバイスに転送するよう構成される、請求項１に記載の粒子計数器。
【請求項８】
前記処理システムは、前記１つ以上のログファイルを、無線で外部メモリーデバイスに転送するよう構成される、請求項１に記載の粒子計数器。
【請求項９】
粒子モニタリングデータを保護する方法であって、
粒子計数器の１つ以上のセンサーを用いて、ある環境の粒子をモニタリングするステップと、
前記１つ以上のセンサーを経て確認される測定データを、前記粒子計数器の記憶システムに時系列順に並んだ一連のログファイルとして格納するステップと、
前記時系列順に並んだ一連のログファイルのファイルを、転送するために選択するステップと、
選択されたファイルを、他の非粒子計数システム情報処理デバイスのアプリケーションと互換性のある、安全なファイル形式に変換するステップと、
外部メモリーデバイスとの通信を検出するステップと、
前記外部メモリーデバイスを検証するステップと、
検証された外部メモリーデバイスへ、安全なファイル形式の選択された前記ファイルを転送するステップと、
を有する、方法。
【請求項１０】
ファイルを選択する前記ステップは、ファイルを自動的に選択することを含み、前記安全なファイル形式は、画像ファイル形式である、請求項９に記載の方法。
【請求項１１】
選択されたファイルに機器の識別子又は機器の位置情報を追加するステップをさらに有し、前記安全なファイル形式は、ＰＤＦ形式である、請求項９に記載の方法。
【請求項１２】
前記１つ以上のログファイルを、前記粒子計数器に常駐している間に前記安全なファイル形式に変換するステップをさらに有する、請求項９に記載の方法。
【請求項１３】
前記１つ以上のログファイルを、外部メモリーデバイスに転送するのに応じて、前記１つ以上のログファイルを前記安全なファイル形式に変換するステップをさらに有する、請求項９に記載の方法。
【請求項１４】
前記１つ以上のログファイルを外部メモリーデバイスに転送するのに応じて、前記１つ以上のログファイルのうちの１つ以上を消去するステップをさらに有する、請求項９に記載の方法。
【請求項１５】
前記１つ以上のログファイルを、外部メモリーデバイスに周期的に転送するステップをさらに有する、請求項９に記載の方法。
【請求項１６】
前記１つ以上のログファイルを、外部メモリーデバイスに無線で転送するステップをさらに有する、請求項９に記載の方法。
【請求項１７】
処理システムによって実行可能な命令を有する非一時的記憶デバイスを含む、非一時的コンピュータプログラム製品であって、前記命令は、
粒子計数器の１つ以上のセンサーを用いて、ある環境の粒子をモニタするために使用される、前記粒子計数器のデータファイルに対応するネイティブファイル形式で粒子計数測定データを受信するよう構成された命令と、
前記データファイルに機器の識別子又は機器の位置情報を追加するよう構成された命令と、
前記データファイルを、他の非粒子計数システム情報処理デバイスのアプリケーションと互換性のある安全なファイル形式の１つ以上のログファイルとして変換し、且つ記憶デバイスに格納するよう構成された命令と、
外部メモリーデバイスとの通信を検出し、前記外部メモリーデバイスへ、安全なファイル形式で１つ以上のログファイルを自動的に転送するよう構成された命令と、
を有するコンピュータプログラム製品。
【請求項１８】
命令を有する前記非一時的記憶デバイスは、前記粒子計数器に常駐する、請求項１７に記載の非一時的コンピュータプログラム製品。
【手続補正２】
【補正対象書類名】明細書
【補正対象項目名】００３７
【補正方法】変更
【補正の内容】
【００３７】
処理システム１１０は、通信ポート１０７を介して通信するよう、ポートインターフェースルーチン１２６を実行することができる。通信は、有線通信または無線通信を含む、任意の外部通信手段を含むことができる。有線通信は、汎用シリアルバス（ＵＳＢ）またはイーサネット（登録商標）の通信フォーマットを含むことができるが、任意の適切なシリアル通信または並列通信をさらに含むことができる。有線通信は、任意の適切なデジタル通信またはアナログ通信を含むことができる。無線通信は、ラジオ通信、光通信、音響通信、または誘導通信のような任意の通信手段を含むことができる。
【手続補正３】
【補正対象書類名】明細書
【補正対象項目名】００３８
【補正方法】変更
【補正の内容】
【００３８】
処理システム１１０は、ポートインターフェースルーチン１２６を実行して、モニタリング機器１００と通信するよう持ち込まれた携帯型メモリーデバイス１８０を検出することができる。処理システム１１０は、ポートインターフェースルーチン１２６を実行して、適切および／または許可されたデータロギングデバイスを備える携帯型メモリーデバイス１８０を検証することができる。ポートインターフェースルーチン１２６は、ユーザがオフロードするのを許可または拒否するよう、ユーザインターフェース１１３と情報をやり取りすることができる。ポートインターフェースルーチン１２６は、ユーザが一連のログファイル１２９１−１２９Ｎからオフロードするログファイルを選択できるように、ユーザインターフェース１１３と情報をやり取りすることができる。いくつかの実施形態において、ポートインターフェースルーチン１２６は、１つ以上のログファイルのファイル形式または編成スキームを選択するために、ユーザインターフェース１１３と情報をやり取りすることができる。ポートインターフェースルーチン１２６は、例えば、ユーザ識別子のようなオフロードされたデータを１つ以上のログファイルに追加または付加するために、ユーザインターフェース１１３と情報をやり取りすることができる。考えられる、付加できる他のデータは、本明細書および特許請求の範囲に含まれるものである。ポートインターフェースルーチン１２６は、モニタリング機器１００から携帯型メモリーデバイス１８０に、１つ以上のログファイルをオフロードするのに関与することができる。ポートインターフェースルーチン１２６は、いくつかの実施形態において、一連のログファイル１２９１−１２９Ｎからオフロードされたあらゆるログファイルを削除するのに、随意に関与することができる。